(57)【要約】  切り屑の排出が円滑にでき高穿設性能のコアカッターを提供することを目的とし、当該コアカッターＣは、筒状の胴部１と、その先端で周方向に所定間隔に配設された複数の切刃２を有し、複数の切刃２のうちの少なくとも一つが内切刃２Ａとして、残りが外切刃２Ｂとして各機能するものであり、前記胴部１の厚みを耐変形性能が維持できる程度に薄く構成するとともに、先端に肉厚方向に貫通する貫通溝３を先端側に開口して設け、該貫通溝３内にその周方向の寸法に等しい寸法を有し前記胴部１と別体のチップからなる前記切刃２を挿着するとともに、前記切刃２の回転方向前方に、外周面が先端方にゆくに従って内周面に近づくような形態を備えた該外周面によって切り屑排出用のギャレット４を形成し、前記切刃２の前記貫通溝３への挿着を、切刃２の軸方向先端部の内径端が前記ギャレット４の軸方向先端部の周面と一致するか略一致するような状態で溶着でおこなった。
2008152726.tif 000002
【特許請求の範囲】
【請求項１】
筒状の胴部と、該胴部の先端において周方向に所定間隔をもって配設された複数の切刃とを有し、これらの切刃のうちの少なくとも一つが内周方の部分を切削する内切刃として機能し、残りの切刃が外周方の部分を切削する外切刃として機能するように構成された、コアカッターであって、
前記胴部の径方向の厚みを耐変形性能が維持できる程度に薄く構成するとともに、
該胴部の先端に前記径方向へ貫通する貫通溝を先端側に開口するように形成し、
前記貫通溝内に、該貫通溝の周方向の寸法に等しい周方向の寸法を有し前記胴部と別体のチップで構成された前記切刃を挿着するよう構成するとともに、
前記切刃の回転方向前方に、前記胴部の一部を構成する外周面が先端方にゆくにしたがって該胴部の一部を構成する内周面に近づくようなテーパ状の曲面の形態を備えた該外周面によって切り屑排出用のギャレットを形成し、
前記切刃を、該切刃の軸方向先端部の内径端が前記ギャレットの軸方向先端部と径方向において一致するか又はほぼ一致するような状態で、前記貫通溝に溶着したことを特徴とするコアカッター。
【請求項２】
前記ギャレットを形成する前記胴部の外周面が軸方向先端で該胴部の一部を構成する前記内周面と径方向において一致する又は略一致するような状態で接続するように構成されていることを特徴とする請求項１記載のコアカッター。
【請求項３】
前記切刃が内周方の部分を切削する内径切削部とその外径方に隣接して外周方の部分を切削する外径切削部を有し、前記外径切削部の回転方向先端に位置する切刃部が内径切削部の回転方向先端に位置する切刃部に対して、回転方向において後方に位置するように構成され、且つ、該内径切刃部と外径切刃部との径方向の境界線は、底面視において回転方向において前後に形成される段差によって形成されていることを特徴とする請求項１又は２記載のコアカッター。
【請求項４】
前記切刃の軸方向先端部の内径端が前記ギャレットの軸方向先端部と一致するかほぼ一致する構成が、周方向において前記ギャレットの軸方向先端部の切刃との接続部分を該切刃の前記内径端の位置に合わせて径方向に湾曲又は屈曲させることによって実現されていることを特徴とする請求項１〜３のいずれか１の項に記載のコアカッター。
【請求項５】
前記胴部の先端の貫通溝が形成される回転方向後方の部位に、該貫通溝に配置される前記切刃の径方向の厚みより外周面が内径方に位置し前記ギャレットの周面より外径方に位置するような肉厚部分を設けたことを特徴とする請求項１〜４のいずれか１の項に記載のコアカッター。
【請求項６】
前記貫通溝に、前記切刃の該貫通溝内への挿着に際して該切刃と接触する複数の異なる方向を向いた当接面を形成するとともに、これに対応した複数の異なる方向を向いた当接面を切刃側にも設けて、これら複数の異なる方向を向いた当接面同士が当接する状態で該切刃となるチップを貫通溝に溶着するよう構成したことを特徴とする請求項１〜５のいずれか１の項に記載のコアカッター。
【請求項７】
前記内切刃として機能する切刃が、コアカッターの周方向において半分以下の領域又はほぼ半分以下の領域にわたって複数配置したことを特徴とする請求項１〜６のいずれか１の項に記載のコアカッター。
【請求項８】
前記コアカッターの回転中心部に中心が位置するように且つ軸方向の先端方に形成された第１のセンタードリル部と、該第１のセンタードリル部の軸方向後端方に位置して該回転中心から偏心させ回転軌跡の外径端が第１のセンタードリルの回転軌跡の外径端より径方向において大きくなるように設けた第２のセンタードリル部とを備え、穿設に際して位置決め機能を奏するセンタードリルを、前記内切刃が配設されている周方向における領域側と回転中心に対して反対方に前記第２のセンタードリルの偏心がなされるように、配置したことを特徴とする請求項７記載のコアカッター。
【発明の詳細な説明】
【技術分野】
【０００１】
本発明は、コアカッターに関し、特に複合材料穿設用として好適なコアカッターに関する。
【背景技術】
【０００２】
従来から、板状の材料に比較的大きな径の穴を穿設する場合には、穿設効率の高さと穿孔縁の綺麗さ等に鑑みて、コアカッターが使用されている。【０００３】
穿設効率の高いコアカッターの場合、切り屑の排出を如何に円滑にするかということが技術的な課題となる。また、この課題は、穿設しようとする対象物、具体的には、木材に穴を穿設するのか、コンクリートに穴を穿設するのか、あるいは、金属に穴を穿設するのかによっても、解決手段が種々異なってくる。
例えば、木材に穴を穿設する場合には、コアカッターの胴部の周面に軸方向（穴の穿設進行方向）に先端（下端）から基端側に所定長さ延設したスリットを形成することによって、切り屑を該スリットから円滑に外部に排出するように構成される。また、コンクリートに穴を穿設する場合には、切り屑が比較的細かい粉状のものであることから、コアカッターの切刃を、胴部の外周面および内周面から外方にまたは内方に突出させておくことによって、コアカッターと穴内周面との間に十分な隙間を形成して、切り屑を円滑に外部に排出するように構成される。さらに、金属に穴を穿設する場合には、切刃を設ける該コアカッターの胴部の先端部（下端部）を肉厚に形成し、この肉厚部の回転方向前端に切刃を設けるとともにその回転方向前方部位（換言すれば、回転方向において肉厚部と肉厚部の間に）に内周方へ凹設することによって排出溝を形成して、切り屑を該排出溝から基端側へ円滑に排出するように構成される。このような先行技術として、特許文献１、特許文献２等が存在する。
【特許文献１】日本国特開平４−１４１３０９号公報。
【特許文献２】日本国特開２００３−２３１０１３号公報。
【発明の開示】
【発明が解決しようとする課題】
【０００４】
しかしながら、複合材料、具体的には、表面に金属板がその内方に木製の板材が、さらにその内方に陶製の板材等が重層されているような「複合材料」の場合に穿設する場合には、これら全ての材料の切り屑を円滑にしなければならない。【０００５】
ところで、前述したとおり、コアカッターの特長の一つである穿設効率の高さをさらに向上させることが今後の課題となっている。
一般的に言えることは、コアカッターの胴部の肉厚と切刃の厚さ方向（径方向）の肉厚寸法を小さく構成して、穿設に際し発生する切削量を減少させることが、有効な解決手段となる。
ところが、前記胴部の肉厚寸法を小さくすると、穿設時に胴部に作用する回転トルク、特に切刃近傍、つまり胴部の先端部に作用する回転トルクに対する耐変形性能（剛性）が低下してしまうことになる。従って、かかる場合、前記胴部の先端部の耐変形性能を向上させるためには、胴部の先端が構造的に全周連結されたリング状に構成されることが好ましい。しかしながら、このような構成にすると、胴部の内径方から該胴部を隔てた外径方への切り屑の移動ができなくなる。そのため、前述した切り屑の排出性能が低下してしまうという、相矛盾する技術的課題が存在する。【０００６】
本発明はこのような状況下におこなわれたもので、複数の材料が重層された複合材料に穴を穿設する場合にも切り屑の排出が円滑におこなわ、且つ、穿設性能をより高めても所望の剛性を維持できる、コアカッターを提供することを目的とする。
【課題を解決するための手段】
【０００７】
本発明の目的は、以下の構成からなるコアカッターによって解決することができる。
つまり、
本発明にかかるコアカッターは、筒状の胴部と、該胴部の先端において周方向に所定間隔をもって配設された複数の切刃とを有し、これらの切刃のうちの少なくとも一つが内周方の部分を切削する内切刃として機能し、残りの切刃が外周方の部分を切削する外切刃として機能するように構成された、コアカッターであって、
前記胴部の径方向の厚みを耐変形性能が維持できる程度に薄く構成するとともに、
該胴部の先端に前記径方向へ貫通する貫通溝を先端側に開口するように形成し、
前記貫通溝内に、該貫通溝の周方向の寸法に等しい周方向の寸法を有し前記胴部と別体のチップで構成された前記切刃を挿着するよう構成するとともに、
前記切刃の回転方向前方に、前記胴部の一部を構成する外周面が先端方にゆくにしたがって該胴部の一部を構成する内周面に近づくようなテーパ状の曲面の形態を備えた該外周面によって切り屑排出用のギャレットを形成し、
前記切刃を、該切刃の軸方向先端部の内径端が前記ギャレットの軸方向先端部と径方向において一致するかほぼ一致するような状態で、前記貫通溝に溶着したことを特徴とする。【０００８】
しかして、このように構成された本発明にかかるコアカッターによれば、胴部の径方向の厚みが薄いことに起因して、複数の切刃を各形成するチップによる径方向の有効切削幅寸法（各切刃が回転することによってリング状に切削されるリング幅の寸法をいう）を小さくすることができる。このため、穿設に際して総切削量が削減されることによって穿設効率を向上させることができる。
また、かかる構成においても、コアカッターの先端部では、間に挿着した切刃を介して、構造的にリング状の一体のものとなっているため、必要な耐変形性能を得ることができる。
しかも、胴部の先端部において、前述のように、ギャレットとなる前記テーパ状の曲面の回転方向後方に前記チップを挿着するための貫通溝が形成され、しかもその貫通溝内に該チップが、該チップの軸方向の先端の内周端が前記胴部の先端部と一致するかほぼ一致するような状態で挿着されて溶着される。このため、該切刃たるチップで生成される切り屑は、該コアカッターの先端の内周部分で生成される切り屑をも含めて、回転方向前方に隣接するギャレットによって、コアカッターの前記外切刃の外径縁で穿設される穴と当該コアカッターの外周面との間に形成される隙間へと導かれ、該切り屑を効率良く該穴外方へ排出することが可能となる。【０００９】
前記コアカッターにおいて、前記ギャレットを形成する前記胴部の外周面が軸方向先端で該胴部の一部を構成する前記内周面と径方向において一致する又は略一致するような状態で接続するように構成されていると、切り屑をさらに効率良く排出できる点において、好ましい構成となる。【００１０】
前記コアカッターにおいて、前記切刃が内周方の部分を切削する内径切削部とその外径方に隣接して外周方の部分を切削する外径切削部を有し、前記外径切削部の回転方向先端に位置する切刃部が内径切削部の回転方向先端に位置する切刃部に対して、回転方向において後方に位置するように構成され、且つ、該内径切刃部と外径切刃部との径方向の境界線は、底面視において回転方向において前後に形成される段差によって形成されていると、各切刃から生成される切り屑は、半分の幅の切り屑となり、より円滑に、前記ギャレットや前記コアカッターの外周面と穿設される穴との間に形成される隙間を通過して排出することができる。【００１１】
前記コアカッターにおいて、前記切刃の軸方向先端部の内径端が前記ギャレットの軸方向先端部と一致するかほぼ一致する構成が、周方向において前記ギャレットの軸方向先端部の切刃との接続部分を該切刃の前記内径端の位置に合わせて径方向に湾曲又は屈曲させることによって実現されていると、チップからなる切刃の径方向の配置位置の自由度を増加させることができる。もちろん、かかる場合にも、円滑な切削可能とするために、ギャレットの接続部分、より正確にはギャレットが形成されている部分の胴部の内周面が切刃の内径端と一致するか、あるいはやや外径方に位置していることが必要となる。【００１２】
前記コアカッターにおいて、前記胴部の先端の貫通溝が形成される回転方向後方の部位に、該貫通溝に配置される前記切刃の径方向の厚みより外周面が内径方に位置し前記ギャレットの周面より外径方に位置するような肉厚部分を設けると、切刃を形成するチップの胴部への溶着がより強固におこなえるとともに、穿設に際してコアカッターのギャレットの周面と穿設穴の内周面との間により広い隙間が形成されるため、切り屑の排出がより円滑におこなえる構成となる。【００１３】
前記コアカッターにおいて、前記貫通溝に、前記切刃の該貫通溝内への挿着に際して該切刃と接触する複数の異なる方向を向いた当接面を形成するとともに、これに対応した複数の異なる方向を向いた当接面を切刃側にも設けて、これら複数の異なる方向を向いた当接面同士が当接する状態で該切刃となるチップを貫通溝に溶着するよう構成すると、あらゆる方向から切刃に対して外力が作用しても該チップが脱落し難くなり、また挿着位置が正確に定められることになることから高い位置決め精度を得ることができる。【００１４】
前記コアカッターにおいて、前記内切刃として機能する切刃が、コアカッターの周方向において半分以下又はほぼ半分以下の領域にわたって複数配置されていると、穿設完了後、コアカッターの内径方の部分に残る略円筒状の切り取られた部分を該コアカッターから円滑に取り除くことが可能となる。【００１５】
前記コアカッターにおいて、前記コアカッターの回転中心部に中心が位置するように且つ軸方向の先端方に形成された第１のセンタードリル部と、該第１のセンタードリル部の軸方向後端方に位置して該回転中心から偏心させ回転軌跡の外径端が第１のセンタードリルの回転軌跡の外径端より径方向において大きくなるように設けた第２のセンタードリル部とを備え、穿設に際して位置決め機能を奏するセンタードリルを、前記内切刃が配設されている周方向における領域側と回転中心に対して反対方に前記第２のセンタードリルの偏心がなされるように、配置した構成とすると、センタードリルを有するコアカッターにおいても、穿設完了後、コアカッターの内径方の部分に残る略ドーナッツ状の切り取られた部分も該コアカッター内部から円滑に取り除くことが可能となる。
【発明の効果】
【００１６】
本発明にかかるコアカッターによれば、複数の材料が重層された複合材料に穴を穿設する場合にも切り屑の排出が円滑におこなわれ、且つ、穿設性能をより高めても所望の剛性を維持できる、コアカッターを提供することができる。
【図面の簡単な説明】
【００１７】
【図１】図１は、本発明の実施例にかかるコアカッターを通常の太さの線で表し該コアカッターを下方に取着するアーバー（取着具）を細線で表したこれらの側面図である。
【図２】図２は、図１に示すコアカッターの切刃とそれに隣接して設けられているギャレット及びセンタードリル等の底面から見た配置構造を示す該コアカッターの底面図である。
【図３】図３は、切刃とギャレット等の構成を示す図２の中において２点鎖線により丸で囲った部分Ｎの部分拡大底面図である。
【図４】図４は、切刃とその前方に形成されたギャレット等の構成を示す図１のコアカッターの先端部分の部分拡大側面図である。
【図５】図５は、図４は図２に示す構成のコアカッターを用いて穿設したときにその内径方に残る略円筒状に切り取られた部分と、当該コアカッターの底面方向から見た構成を示す図である。
【図６】図６は、胴部の先端部分の構成とそこに形成された貫通溝内に内径方へ偏位して配置された切刃（内切刃）の構成を示す図４のVI−VI矢視方向から見た断面図である。
【図７】図７は、胴部の先端部分の構成とそこに形成された貫通溝内に配置された切刃（外切刃）の構成を示す図４のVI−VI矢視方向と同じ方向から見た別の切刃の断面図である。
【図８】図８は、切刃を貫通溝内に配置する前の貫通溝とその近傍の構成（胴部下端部の構成）を示すコアカッターの部分拡大側面図である。
【図９】図９は、図８に示す貫通溝と近傍の構成を底面方向から見た部分拡大底面図である。
【図１０】図１０は、ギャレット部分とその回転方向前方に位置する肉厚部分の構成を示す図８のＸ−Ｘ矢視断面図である。
【図１１】図１１は、前記貫通溝内に挿着される外切刃の切刃（チップ）の外観構成を示す図で、（Ａ）は貫通溝内に挿着された状態において外径方から見た側面図、（Ｂ）は回転方向前方から見た図、（Ｃ）は回転方向後方から見た図、（Ｄ）は平面図、（Ｅ）は底面図（先端方から見た図）である。
【図１２】図１２は、前記貫通溝内に挿着される内切刃の切刃（チップ）の外観構成を示す図で、（Ａ）は貫通溝内に挿着された状態において外径方から見た側面図、（Ｂ）は回転方向前方から見た図、（Ｃ）は回転方向後方から見た図、（Ｄ）は平面図、（Ｅ）は底面図（先端方から見た図）である。
【符号の説明】
【００１８】
Ｃ    コアカッター
１    胴部
２    切刃
２Ａ  内切刃
２Ｂ  外切刃
３    貫通溝
４    ギャレット
【発明を実施するための最良の形態】
【００１９】
以下、本願発明の実施例にかかるコアカッターを図面を参照しながら具体的に説明する。しかしながら、本発明はこれらの実施例に限定されるものではない。
（実施例）
図１に図示するように、本実施例にかかるコアカッターＣは、筒状（この実施例の場合には円筒状）の胴部１と、その先端部（図１において下端部）１ａに先端方へ先端部２ａが突設するように植設された切刃２とを有する。また、図１において細線で表した参照符号「Ａ」はこのコアカッターＣをボール盤等のドリリング装置（図示せず）側に取着するためのアーバー、「Ｇ」は穿設に際して位置決めをおこなうセンタードリルである。【００２０】
前記切刃２は、前記胴部１とは別体になったチップの形態を有しており、これらの切刃２を形成するチップが、図２に図示するように、リング状になった前記胴部１の先端に、適宜間隔をもって回転方向Ｒの先端方に周方向の先端が位置するように複数配設されている。例えば、この実施例の場合には、１２個の前記切刃２が胴部１の先端に互いに離間して周設されている。また、これら各切刃２は、一部が不等間隔で配置されている。しかし、前記切刃２の数は前記１２個に限定されるものでなく、また、全ての切刃２が等間隔に配置されていてもよい。【００２１】
そして、図３に拡大して図示するように、チップの形態を有する前記切刃２は、径方向において所定の幅をもって、リング状に切削する当該切削軌跡（切削痕）の幅方向（径方向）の内周方の部分を切削することができるように内径方へ偏位して配置された、内切刃２Ａと、同切削軌跡の幅方向の外周方の部分を切削することができるように外径方へ偏位して配置された、外切刃２Ｂの、２種類の切刃２が存在する。また、前記内切刃２Ａ及び外切刃２Ｂのいずれもが、前記切削軌跡の中央部分も切削することができる。
例えば、前記内切刃２Ａとして、この実施例では、図１２に図示するような外観構成を有する切刃２が、図３，図６に図示するように前記胴部１に対してその内径端２ｅが内径方へ突出するように配設される。また、前記外切刃２Ｂとして、この実施例では、図１１に図示するような外観構成を有する切刃２が、図３，図７に図示するように前記胴部１に対してその外径端２ｋが外径方へ突出するように配設される。そして、図３に拡大して図示するように、前記内切刃２Ａの前記内径端２ｅは、前記外切刃２Ｂの内径端より内径方に突出し、前記外切刃２Ｂの前記外径端２ｋは、前記内切刃２Ａの外径端より外径方に突出するように構成されている。【００２２】
そして、図６，図７に図示するように、前記内切刃２Ａと外切刃２Ｂの胴部１の軸方向における先端１ｊからの先端方への突出寸法ｔは、この実施例の場合、等しく構成されている。【００２３】
ところで、前記切刃２は、この実施例にかかるコアカッターＣの場合、図８，図９に図示するように、前記胴部１の先端１ｊ（図８参照）に向けて開口し且つこの胴部１の径方向（肉厚方向）に貫通した貫通溝３に挿着（植設）され且つ溶着されることによって、図１〜図７に図示するように、該切刃２が胴部１に対して一体になるように該胴部１の先端１ｊに取着される。この切刃２の胴部１に対する取着は、この実施例では、所謂「ろう付け」溶接により、一体に取着されている。しかし、前記取着は、該「ろう付け」に限定されるものでなく、例えば、「ろう付け」以外の溶接によってもよく、あるいは金属用の接着剤による接着等であってもよい。【００２４】
前記貫通溝３は、この実施例の場合、図８〜図１０に図示するような構成を具備する。つまり、この貫通溝３は、胴部１の先端部１ｅに、軸方向Ｙ（図８参照）において先端（図８において下端）が基端（図８において上端）に対して回転方向Ｒ前方になるように傾斜した傾斜軸に沿って、図８に示す側面視において略斜めになった長方形状の形態で貫通し且つ先端方（図８において下方）に開口するように、設けられている。また、この貫通溝３の前記略長方形状の回転方向後端の部位には、基端側で外周方になるよう且つ先端側で内周方になるように傾斜した傾斜面３ｂが先端から基端にかけて所定長さ形成されている。この所定長さは、この実施例の場合には、前記略長方形状に貫通している部位に対してその軸方向の長さに対して略７割程度の長さとなっている。
また、前記傾斜面３ｂは、前記側面視が略長方形状の開口の基端側の面３ｈと、相互に異なる方向を向いた面となっている。
また、前記貫通溝３は、底面視において、図９に図示するように、周方向において内径方の部位の両端の位置と外径方の部位の両端の位置とがずれて構成され、このずれた部分に段３ｍが形成されている。このため、前記段３ｍになった接続部分にも、前記相互に異なる方向を向いた面に対しさらに異なる方向を向いた面が形成されている。
これらの複数の異なる方向を向いた各面を有する構成によって、外径方へも内径方へも、且つ、周方向においても、切刃２が所定の位置に正確に位置決めがなされる構成となっている。従って、切刃２は、前記貫通溝３へ挿着する際、底面方（胴部１の軸方向の先端方）から基端方へ向けて挿着することによって、各方向においてその位置が正確に所定位置になるように容易にセットできる。【００２５】
ところで、図１〜図５に図示するように、前記貫通溝３の回転方向Ｒにおけるそれぞれの前方には、切り屑を排出するためのギャレット（排出溝）４がそれぞれ形成されている。この実施例の場合、前記ギャレット４の軸方向における先端部は、胴部１の一部の外周面１ｆが先端方で徐々に内周面側に近づくようなテーパ状の曲面４ｔによって構成されている。また、このギャレット４のテーパ状の曲面４ｔの軸方向における基端方は、胴部１の外周面１ｆのストレート部分の曲面（外周面）に連なっている。【００２６】
そして、前記胴部１の径方向の寸法（肉厚寸法）は、全体が穿設に際して耐変形性能が維持できる程度の薄さｔに構成されている。この実施例の場合には、同種の従来のコアカッターの肉厚寸法に比べて、約８０％〜９５％程度の薄さに構成されている。【００２７】
そして、図８，図９に図示するように、胴部１の軸方向における先端部であって、前記貫通溝３の回転方向Ｒにおける後方部位には、胴部１の外周面１ｆが当該先端部でのみ部分的に外径方に突出した肉厚部１ｗがそれぞれ形成され、この肉厚部１ｗの回転方向における後端は、次のギャレット４の前端まで延設されている。つまり、この肉厚部１ｗの回転方向における前端面で、前記切刃２の後端面を周方向において支えることになる。【００２８】
従って、この実施例にかかるコアカッターＣは、図２等に図示するように、軸方向における先端部において、回転方向に、前記肉厚部１ｗ、前記ギャレット４、貫通溝３が順番に複数ユニット繰り返した状態で配置されている。具体的には、例えば、この実施例の場合、１２ユニットの肉厚部１ｗ，ギャレット４，貫通溝３が回転方向に順番に形成されている。しかし、前記１２個のユニット数に限定されるものでなく、該ユニット数は、コアカッターＣの径により、あるいは穿設しようとする対象物等により、適宜数のユニット数が選択されればよい。【００２９】
また、前記貫通溝３には、前記内切刃２Ａと外切刃２Ｂからなる切刃２（２Ａ，２Ｂ）が、図３に拡大するように、取着される。かかる場合、前記内切刃２Ａと外切刃２Ｂのいずれの場合にも、切刃２はその軸方向先端且つ回転方向Ｒにおける先端の内径端２ｅが、前記ギャレット４のテーパ状の曲面４ｔの軸方向先端且つ回転方向Ｒにおける後端部（正確には、曲面４ｔの内周側に位置する面４ｇ）に、径方向において一致するような状態で、回転方向Ｒにおいて連続するように形成されている。しかし、前記径方向において一致する構成にかえて、略一致するような構成であってもよい。例えば、前記切刃２の内径端２より前記曲面４ｔの面４ｇが径方向において少しだけ外径方に位置するような構成であってもよい。【００３０】
また、図２，図３に図示するように、前記切刃２の軸方向先端には、内切刃２Ａと外切刃２Ｂともに、回転方向Ｒに延びる凌線２ｐが形成されている。これらの稜線２ｐは、この実施例の場合、回転中心Ｏ１（図２参照）を中心とする径方向における位置が一致するように、換言すると、同一の回転軌跡上を回転するような構成となっている。また、これらの凌線２ｐの各回転方向先端は、図６，図７に図示するように、該切刃２の軸方向の最先端となっている。【００３１】
また、図１１，図１２に図示するように、前記切刃２、つまり、前記内切刃２Ａと外切刃２Ｂはともに、内周方の部分を切削する内径切刃部２ｄとその外径方に隣接して外周方の部分を切削する外径切刃部２ｈを有する。そして、前記外径切刃部２ｈの回転方向における先端の位置は、それに対応する前記内径切刃部２ｄの回転方向における先端の位置に対して、後方に位置するように構成されており、且つ、該内径切刃部２ｄと外径切刃部２ｈとの径方向の境界線ｑは、底面視において回転方向において前後に形成される段差を形成する。【００３２】
また、図１１，図１２に図示するように、前記切刃２には、前記貫通溝３の傾斜面３ｂに当接する傾斜面２ｕが形成され、また、前記段３ｍに当接する段２ｍがそれぞれ形成されている。【００３３】
ところで、前記内切刃２Ａと外切刃２Ｂは、この実施例の場合、図５に図示するように、周方向において、部分的にそれぞれの種類の切刃２Ａあるいは２Ｂがそれぞれが連続してかたまった状態で、配設されている。具体的には、この実施例では、図５において、上方を１２時の位置とすると、「９時」の位置から「２時半」の位置までの領域に前記内切刃２Ａが連続して配置され、残りの領域には、外切刃２Ｂが周方向において連続して配置されている。【００３４】
しかし、このような構成に代えて、内切刃２Ａを少なくとも一つ、多くとも胴部１の半分以下の領域にだけ配置しておくような構成であってもよい。【００３５】
ところで、このコアカッターＣには、図１、図２、図５に図示するように、該コアカッターＣの回転中心Ｏ１の部位には、穿設に際して回転中心を定める所謂「センタードリル」Ｇが配設されている。このセンタードリルＧは、２種類の径のドリルが軸方向に連結された所謂段付ドリルのような形態を有し、先端方の径の小さいドリルＧａの回転中心はこのコアカッターＣの回転中心Ｏ１と一致しているが、基端方の径の大きいドリルＧｂの回転中心は、前記回転中心Ｏ１から偏心している。この偏心の方向は、前記内切刃２Ａがかたまって配設されている側と回転中心Ｏ１を夾んで反対側、つまり、内切刃２Ａのかたまっている方向から離間する方に中心が偏位するように偏心している。【００３６】
しかして、このように構成された本コアカッターＣは、以下のように作用する。つまり、
前記胴部１の軸方向の先端に、所定間隔で前記切刃２が該胴部１の貫通溝３に溶着された状態で、これら全体が底面視において連続したリング状の形態を形成するような構成を有する。このように前記切刃２と胴部１が強固にリング状に一体になっているため、切刃２に作用する外力は切刃２と胴部１に分散して作用する。この結果、耐変形性能を向上させることができる。従って、前記胴部１の肉厚（径方向の厚み寸法）を可及的に薄くすることができる。このため、この胴部１先端に配置される切刃２の径方向の寸法も小さくすることができる。
これらの結果、このコアカッターＣを使用して穿設すると、総切削量が削減されることによって、切削効率を向上させることができる。【００３７】
しかも、前記貫通溝３に前記切刃２を挿着する際に、該貫通溝３に形成された異なる方向を向いた三つの面に切刃２に形成された異なる方向を向いた三つの面がそれぞれ当接した状態で位置決めがおこなわれるため、単に貫通溝３内に切刃２を前記各面が当接する状態で挿着のみすれば、三次元方向において正確に位置決めした状態で貫通溝３に切刃２を挿着することがてきる。【００３８】
また、前述のように、胴部１の肉厚を薄にするために底面視においてリング状に連続した如き構成にしても、前述のように切刃２の回転方向前端の内周端と前記ギャレット４の回転方向後方の端部とを一致させた構成となっていることから、前記切刃２で切削された複合材料の各種の切り屑は、その直ぐ前方に隣接して設けられている当該ギャレット４の周面に沿って、外方に効率的に排出される。また、前述のように各切刃２が回転方向において段差状に形成された外径切刃部２ｈと内径切刃部２ｄから構成されるため、切り屑が幅方向において半分の状態で生成されることから、さらに切り屑がギャレット４等を介して効率的に排出される。【００３９】
さらに、前述のように、内切刃２Ａを少なくとも一つ、多くとも胴部１先端のリング状の周方向における半分以下の領域にだけ配置しておくことによって、図３あるいは図５に図示するように、穿設された残りの円柱状のもの（図２，図３のハッチングで示す部分参照）と、コアカッターＣの内周面との間に、有効な隙間ｓ１が形成される。また、この実施例の如く、センタードリルＧを構成しておくことによって、該センタードリルＧと前記穿設された残りの円柱状のものとの間には、有効な隙間ｓ２が形成される。この結果、このコアカッターＣを使用して穿設すると、該コアカッターＣの内周方の空間に形成される残部（図２においてドーナッツ状の残部）を簡単に取り出すことが可能となる。【００４０】
本発明は、前記実施例に限定されるものでなく、当業者が自明の範囲において、種々の形態に変更して実施することができることは言うまでもない。
【産業上の利用可能性】
【００４１】
本発明にかかるコアカッターは、複合材料等を穿設するため等の刃物として利用できる。
【図１】
2008152726.tif 000003
【図２】
2008152726.tif 000004
【図３】
2008152726.tif 000005
【図４】
2008152726.tif 000006
【図５】
2008152726.tif 000007
【図６】
2008152726.tif 000008
【図７】
2008152726.tif 000009
【図８】
2008152726.tif 000010
【図９】
2008152726.tif 000011
【図１０】
2008152726.tif 000012
【図１１】
2008152726.tif 000013
【図１２】
2008152726.tif 000014
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
筒状の胴部と、該胴部の先端において周方向に所定間隔をもって配設された複数の切刃とを有し、これらの切刃のうちの少なくとも一つが内周方の部分を切削する内切刃として機能し、残りの切刃が外周方の部分を切削する外切刃として機能するように構成された、コアカッターであって、
前記胴部の径方向の厚みを耐変形性能が維持できる程度に薄く構成するとともに、
該胴部の先端に前記径方向へ貫通する貫通溝を先端側に開口するように形成し、
前記貫通溝内に、該貫通溝の周方向の寸法に等しい周方向の寸法を有し前記胴部と別体のチップで構成された前記切刃を挿着するよう構成するとともに、
前記切刃の回転方向前方に、前記胴部の一部を構成する外周面が先端方にゆくにしたがって該胴部の一部を構成する内周面に近づくようなテーパ状の曲面の形態を備えた該外周面によって切り屑排出用のギャレットを形成し、
前記切刃を、該切刃の軸方向先端部の内径端が前記ギャレットの軸方向先端部と径方向において一致するか又はほぼ一致するような状態で、前記貫通溝に溶着させるが、
前記切刃の軸方向先端部の内径端が前記ギャレットの軸方向先端部と一致するかほぼ一致する構成が、周方向において前記ギャレットの軸方向先端部の切刃との接続部分を該切刃の前記内径端の位置に合わせて径方向に湾曲又は屈曲させることによって実現されていることを特徴とするコアカッター。
【請求項２】
前記ギャレットを形成する前記胴部の外周面が軸方向先端で該胴部の一部を構成する前記内周面と径方向において一致する又は略一致するような状態で接続するように構成されていることを特徴とする請求項１記載のコアカッター。
【請求項３】
前記切刃が内周方の部分を切削する内径切削部とその外径方に隣接して外周方の部分を切削する外径切削部を有し、前記外径切削部の回転方向先端に位置する切刃部が内径切削部の回転方向先端に位置する切刃部に対して、回転方向において後方に位置するように構成され、且つ、該内径切刃部と外径切刃部との径方向の境界線は、底面視において回転方向において前後に形成される段差によって形成されていることを特徴とする請求項１又は２記載のコアカッター。
【請求項４】
（削除）
【請求項５】
前記胴部の先端の貫通溝が形成される回転方向後方の部位に、該貫通溝に配置される前記切刃の径方向の厚みより外周面が内径方に位置し前記ギャレットの周面より外径方に位置するような肉厚部分を設けたことを特徴とする請求項１〜３のいずれか１の項に記載のコアカッター。
【請求項６】
前記貫通溝に、前記切刃の該貫通溝内への挿着に際して該切刃と接触する複数の異なる方向を向いた当接面を形成するとともに、これに対応した複数の異なる方向を向いた当接面を切刃側にも設けて、これら複数の異なる方向を向いた当接面同士が当接する状態で該切刃となるチップを貫通溝に溶着するよう構成したことを特徴とする請求項１〜３，５のいずれか１の項に記載のコアカッター。
【請求項７】
前記内切刃として機能する切刃が、コアカッターの周方向において半分以下の領域又はほぼ半分以下の領域にわたって複数配置したことを特徴とする請求項１〜３，５，６のいずれか１の項に記載のコアカッター。
【請求項８】
前記コアカッターの回転中心部に中心が位置するように且つ軸方向の先端方に形成された第１のセンタードリル部と、該第１のセンタードリル部の軸方向後端方に位置して該回転中心から偏心させ回転軌跡の外径端が第１のセンタードリルの回転軌跡の外径端より径方向において大きくなるように設けた第２のセンタードリル部とを備え、穿設に際して位置決め機能を奏するセンタードリルを、前記内切刃が配設されている周方向における領域側と回転中心に対して反対方に前記第２のセンタードリルの偏心がなされるように、配置したことを特徴とする請求項７記載のコアカッター。
【国際調査報告】
2008152726.tif 000015
2008152726.tif 000016